(57)【要約】【課題】  異物避けカバーの上面に落ちた異物が異物避けカバーの左右の縁から落ちて筐体内に入り込むことを防止する画像入出力装置を提供する。【解決手段】  本発明に係る画像入出力装置は、原稿を載置するための原稿台を有する筐体と、前記筐体に揺動自在に連結され前記原稿台を覆う原稿カバーと、前記原稿カバーの揺動軸線の下方で前記筐体に設けられる給紙口と、印刷媒体を保持する用紙台と、前記原稿カバーの揺動軸線と前記給紙口との間から斜め上方に突出するように前記筐体に設けられ前記用紙台の前記給紙口近傍の上方を覆う異物避けカバーと、前記異物避けカバーの前記給紙口側の縁部と前記給紙口との間に設けられ前記異物避けカバーに沿って降下する異物を受ける凹部と、を備え、前記異物避けカバーは上面に落ちてきた異物を前記凹部に案内するリブを有する。【選択図】  図１
2005086640.tif 000002
【特許請求の範囲】
【請求項１】
原稿を載置するための原稿台を有する筐体と、
前記筐体に揺動自在に連結され前記原稿台を覆う原稿カバーと、
前記原稿台に載置された原稿を走査してディジタル画像を作成する画像読み取り手段と、
印刷媒体に画像を印刷する印刷手段と、
前記原稿カバーの揺動軸線の下方で前記筐体に設けられる給紙口であって前記印刷手段に印刷媒体を供給するための給紙口と、
前記印刷媒体を保持する用紙台であって前記給紙口の下端から突出して設けられる用紙台と、
前記原稿カバーの揺動軸線と前記給紙口との間から斜め上方に突出するように前記筐体に設けられ前記用紙台の前記給紙口近傍の上方を覆う異物避けカバーと、
前記異物避けカバーの前記給紙口側の縁部と前記給紙口との間に設けられ前記異物避けカバーに沿って降下する異物を受ける凹部と、
を備え、前記異物避けカバーは上面に落ちてきた異物を前記凹部に案内するリブを有することを特徴とする画像入出力装置。
【請求項２】
前記異物避けカバーは揺動可能に設けられ、前記原稿カバーが前記原稿台を覆う姿勢のとき前記異物避けカバーを前記原稿カバーに当接させる方向に揺動すると前記リブが前記原稿カバーに当接して前記異物避けカバーと前記原稿カバーとの間に空間が形成されることを特徴とする請求項１に記載の画像入出力装置。
【発明の詳細な説明】
【技術分野】
【０００１】
本発明は、画像入出力装置に関する。
【背景技術】
【０００２】
画像の読み取りと画像の印刷とが可能な画像入出力装置として、画像読み取り手段としてのイメージスキャナと印刷手段としてのプリンタとを一体化した複合機が知られている。そうした複合機のうち、給紙口が原稿カバーの揺動軸線の下方に形成されているものが知られている。こうした複合機の場合、異物避けカバーを設けると、異物が給紙口から筐体内に入り込んで故障の原因となることを防止できる。
【０００３】
図１０は、異物避けカバーを備える従来の複合機８０を示す模式図である。図示する例の複合機８０は原稿台８１を有する筐体８２、原稿台８１を覆う原稿カバー８３、給紙口８４、紙等の印刷媒体９１を保持する用紙台８５、スキャナ部８６、プリンタ部８７などを備える。原稿カバー８３はヒンジ９２で筐体８２に連結されており、図１０において紙面に垂直な揺動軸線９６周りに揺動する。筐体８２は概ね箱形であり、側壁部は４つの壁部で構成されている。ヒンジ９２は壁部の上側の角部に設けられおり、図示するように給紙口８４は上側の角部にヒンジ９２が設けられている壁部に設けられている。すなわち給紙口８４は揺動軸線９６の下方に形成されている。図１０に示すように筐体８２から突出して用紙台８５の給紙口８４近傍の上方を覆う異物避けカバー８８と異物受け溝８９とを備えると、原稿カバー８３から落ちた異物９０を異物避けカバー８８で受け止めて異物受け溝８９に貯めることができるため、異物９０が給紙口８４から筐体８２の内部に入り込むことを防止できる。
【発明の開示】
【発明が解決しようとする課題】
【０００４】
しかしながら、従来の異物避けカバーは上面に落ちた異物が異物避けカバーの左右の縁から落ちてしまう場合があるという問題がある。落ちた異物が例えば用紙台上に落ちて筐体内に入り込んでしまうと、複合機が故障してしまう可能性がある。
本発明は上記問題を解決するために創作されたものであって、異物避けカバーの上面に落ちた異物が異物避けカバーの左右の縁から落ちて筐体内に入り込むことを防止する画像入出力装置を提供することにある。
【課題を解決するための手段】
【０００５】
上記目的を達成するため、本発明に係る画像入出力装置は、原稿を載置するための原稿台を有する筐体と、前記筐体に揺動自在に連結され前記原稿台を覆う原稿カバーと、前記原稿台に載置された原稿を走査してディジタル画像を作成する画像読み取り手段と、印刷媒体に画像を印刷する印刷手段と、前記原稿カバーの揺動軸線の下方で前記筐体に設けられる給紙口であって前記印刷手段に印刷媒体を供給するための給紙口と、前記印刷媒体を保持する用紙台であって前記給紙口の下端から突出して設けられる用紙台と、前記原稿カバーの揺動軸線と前記給紙口との間から斜め上方に突出するように前記筐体に設けられ前記用紙台の前記給紙口近傍の上方を覆う異物避けカバーと、前記異物避けカバーの前記給紙口側の縁部と前記給紙口との間に設けられ前記異物避けカバーに沿って降下する異物を受ける凹部と、を備え、前記異物避けカバーは上面に落ちてきた異物を前記凹部に案内するリブを有することを特徴とする。この画像入出力装置によると、異物避けカバーにリブが設けられているため、上面に落ちた異物はリブによって異物避けカバーの左右の縁から落ちることなく凹部に案内される。よってこの画像入出力装置によると、異物避けカバーの上面に落ちた異物が異物避けカバーの左右の縁から落ちて筐体内に入り込むことを防止できる。
【０００６】
さらに本発明に係る画像入出力装置では、前記異物避けカバーは揺動可能に設けられ、前記原稿カバーが前記原稿台を覆う姿勢のとき前記異物避けカバーを前記原稿カバーに当接させる方向に揺動すると前記リブが前記原稿カバーに当接して前記異物避けカバーと前記原稿カバーとの間に空間が形成されることを特徴とする。この画像入出力装置によると、異物避けカバーが揺動可能に設けられているため、用紙台に印刷媒体をセットするときは異物避けカバーを原稿カバーに当接する方向に揺動することで印刷媒体のセットが容易になる。異物避けカバーを原稿カバーに当接する方向に揺動するとリブが原稿カバーに当接して異物避けカバーと原稿カバーとの間に空間が形成される。空間が形成されると、ユーザはその空間を利用して異物避けカバーに指をかけることができるため、異物避けカバーを逆方向に揺動して斜め上方に突出する姿勢に戻すことが容易になる。
【０００７】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【０００８】
以下、本発明を実施するための最良の形態を実施例に基づいて説明する。
図２は本発明の一実施例に係る画像入出力装置としての複合機１を斜め上方から視た斜視図であり、図３は複合機１を示す模式図である。複合機１は図３に示すように画像読み取り手段としてのスキャナ部２と印刷手段としてのプリンタ部３とを備えている。複合機１の筐体１２はスキャナ部２を収容するスキャナユニット１２ａとプリンタ部３を収容するプリンタユニット１２ｂとで構成されており、スキャナユニット１２ａはプリンタユニット１２ｂに図示しないヒンジにより揺動自在に連結されている。
【０００９】
図３に示すように原稿カバー６０はヒンジ６２により原稿台６１の盤面を開放する姿勢から原稿台６１の盤面を覆う姿勢に揺動可能にスキャナユニット１２ａに連結されている。原稿カバー６０は原稿台６１の盤面に載置された原稿Ｍを押さえるとともに、透過原稿用光源３３ａ（図４参照）あるいは反射原稿用光源３３ｂ（図４参照）の放射光以外の光が原稿を照らすことがないよう原稿台６１を覆うものである。原稿カバー６０は図２に示すように揺動軸線６０ｂ側の縁の両端から揺動軸線６０ｂ側に突出する腕部６０ａを備えており、腕部６０ａの先端がヒンジ６２に連結されている。２つの腕部６０ａは異物避けカバー６５の揺動軸線６０ｂ方向の幅に相当する距離以上に離れている。
【００１０】
給紙口６３は、原稿カバー６０の揺動軸線６０ｂの下方でプリンタユニット１２ｂの側壁に設けられている開口部である。プリンタ部３が画像を印刷する印刷媒体は給紙口６３から供給される。
用紙台６４は、給紙口６３の下端から突出して設けられている。本実施例の用紙台６４は図示するように上方に向かって反筐体１２側に傾くように設けられている。用紙台６４は給紙口６３から供給する紙等の印刷媒体を傾斜させて保持し、保持されている印刷用紙は図示しない給紙機構によって一枚づつ給紙口６３からプリンタ部３に搬送される。
【００１１】
異物避けカバー６５は、図３に示すように原稿カバー６０の揺動軸線６０ｂと給紙口６３との間から斜め上方に突出するようにプリンタユニット１２ｂに揺動可能に設けられている。異物避けカバー６５は、立姿勢から倒方向に所定角度揺動されてプリンタユニット１２ｂから斜め上方に突出する姿勢になったときプリンタユニット１２ｂに設けられている図示しない当接部に当接してそれ以上の倒方向への揺動が規制される。ここで図３に示すＸ方向が異物避けカバー６５の倒方向である。異物避けカバー６５は図３に示す姿勢から反Ｘ方向に揺動可能であり、反Ｘ方向に揺動することで異物避けカバー６５を立姿勢にすることができる。異物避けカバー６５が斜め上方に突出する姿勢になったとき、用紙台６４の給紙口６３近傍の上方は異物避けカバー６５によって覆われる。ここで用紙台６４の給紙口６３近傍とは、用紙台６４において原稿カバー６０から異物が落下してくる範囲に相当する。
【００１２】
凹部としての異物受け溝６６は、異物避けカバー６５の揺動軸線６５ａ（図６参照）と給紙口６３との間に揺動軸線６５ａに沿ってプリンタユニット１２ｂに溝状に設けられている。異物避けカバー６５の上面７２ａに落ちてきた異物は異物避けカバー６５の上面７２ａと後述するリブとに案内されて異物受け溝６６に貯留される。
【００１３】
図４は複合機１の構成を示す模式図であり、図５は複合機１を示すブロック図である。
スキャナ部２は、リニアイメージセンサ３０、光学系３２、第一主走査駆動部３６（図５参照）、第一副走査駆動部３７（図５参照）、ＡＦＥ（Analog Front End）部４１（図５参照）及びディジタル画像処理部４２（図５参照）などを備え、スキャナユニット１２ａに収容されている。
【００１４】
リニアイメージセンサ３０は、ＲＧＢ各色の受光素子が図４において紙面垂直方向に直線状に並ぶ姿勢でキャリッジ３１に搭載されている。リニアイメージセンサ３０は、光学系３２により入力される走査線上の光学像を走査し、その光学像の濃淡に相関する電気信号を出力する。
光学系３２は、透過原稿用光源３３ａ、反射原稿用光源３３ｂ、ミラー３４及びレンズ３５などで構成されている。反射原稿用光源３３ｂ、ミラー３４及びレンズ３５はキャリッジ３１に搭載されており、透過原稿用光源３３ａは原稿カバー６０に収容されている。透過原稿用光源３３ａ及び反射原稿用光源３３ｂは蛍光管ランプ等の管照明装置から構成されている。ミラー３４及びレンズ３５は照射された原稿の走査線上の光像をリニアイメージセンサ３０に結像させる。これにより原稿の主走査線上の光学像をリニアイメージセンサ３０に入力する。
【００１５】
第一主走査駆動部３６は、リニアイメージセンサ３０を駆動するために必要な駆動パルスをリニアイメージセンサ３０に出力する駆動回路である。第一主走査駆動部３６は、例えば同期信号発生器、駆動用タイミングジェネレータ等から構成される。
第一副走査駆動部３７は、走査線の長手方向軸に垂直に架設されキャリッジ３１を摺動可能に保持する摺動軸３８、キャリッジモータ３９、駆動ベルト４０、駆動回路などを備えている。キャリッジモータ３９がキャリッジ３１を駆動ベルト４０で牽引することでリニアイメージセンサ３０と原稿Ｍとが走査線に垂直な方向Ｗ（副走査方向）に相対移動するため、二次元画像の走査が可能となる。
【００１６】
ＡＦＥ部４１は、アナログ信号処理部、Ａ／Ｄ変換器等から構成される。アナログ信号処理部はリニアイメージセンサ３０から出力された電気信号に対して増幅、雑音低減処理等のアナログ信号処理を施して出力する。Ａ／Ｄ変換器はアナログ信号処理部から出力された電気信号を所定ビット長のディジタル表現の出力信号に量子化して出力する。
【００１７】
ディジタル画像処理部４２は、ＡＦＥ部４１から出力された出力信号に対し、ガンマ補正、画素補間法による欠陥画素の補間、シェーディング補正、画像信号の鮮鋭化等の処理を行ってディジタル画像を作成する。尚、ディジタル画像処理部４２で施す上記各種の処理は、制御部５６で実行するコンピュータプログラムによる処理に置き換えてもよい。
【００１８】
プリンタ部３は、記録ヘッド４３、ヘッド駆動部４８（図５参照）、第二主走査駆動部４９（図５参照）及び第二副走査駆動部５４（図５参照）などを備え、プリンタユニット１２ｂに収容されている。尚、本実施例ではインクジェット方式により印刷を行う場合を例に説明するが、レーザー方式やドットインパクト方式などで印刷を行うものであってもよい。
【００１９】
記録ヘッド４３はキャリッジ４４に設けられ、インクを吐出するノズル４５、ピエゾ素子４６、インク通路４７、図示しないインクカートリッジなどを備える。ピエゾ素子４６はインクを導くインク通路４７の側壁に接する位置に設けられ、駆動電圧が印加されると急速に伸長してインク通路４７の側壁を変形させる。インク通路４７の体積はピエゾ素子４６の伸張に応じて収縮し、その収縮分に相当するインクがノズル４５から高速に吐出される。これにより記録ヘッド４３は印刷媒体に画像を印刷する。
【００２０】
ヘッド駆動部４８は、制御部５６から出力された印刷信号に基づいて駆動電圧をピエゾ素子４６に印加する回路である。
第二主走査駆動部４９は、プラテン５０の軸と平行に架設されキャリッジ４４を摺動可能に保持する摺動軸５１、キャリッジモータ５２、駆動ベルト５３、駆動回路などを備える。キャリッジモータ５２がキャリッジ４４を駆動ベルト５３で牽引することで記録ヘッド４３が摺動軸５１（主走査方向軸）の軸方向（主走査方向Ｘ）に往復移動する。
【００２１】
第二副走査駆動部５４は、紙送りモータ５５、紙送りモータ５５の回転をプラテン５０と図示しない用紙搬送ローラとに伝達する歯車列、駆動回路などを備える。紙送りモータ５５がプラテン５０と図示しない用紙搬送ローラとを回転させることで、主走査方向軸に交差する図４において紙面に垂直な方向（副走査方向）に印刷用紙が移動する。
【００２２】
制御部５６は、ＣＰＵ５７、ＲＯＭ５８及びＲＡＭ５９を備えている。ＣＰＵ５７はＲＯＭ５８に記憶されたコンピュータプログラムを実行して複合機１の各部を制御する。ＲＯＭ５８はＣＰＵ５７に各部を制御する処理を実行させるプログラム、各種のデータなどを記憶しているメモリであり、ＲＡＭ５９はプログラム、各種のデータなどを一時的に記憶するメモリである。制御部５６はスキャナ部２としてもプリンタ部３としても機能する。
【００２３】
次に、異物避けカバー６５と異物受け溝６６とについて説明する。
図６は異物避けカバー６５を示す斜視図であり、図１はプリンタユニット１２ｂに支持されている異物避けカバー６５を示す斜視図である。
図６に示すように、異物避けカバー６５は略板状のカバー板７２と、カバー板７２の長手の縁部に一体形成されている軸部７３と、軸部７３に交差する方向に延びる縁部７２ｂ及び７２ｃに沿って上面７２ａから突出するリブ７１とを有している。２つのリブ７１は図示するように軸部７３近傍で他方のリブ７１側に曲がった後、再び曲がって軸部７３側に延びる曲部７４を有している。曲部７４は異物を後述する２つの軸受け部７５の間に導くために設けられている。
【００２４】
図１に示すように、異物受け溝６６は異物避けカバー６５の給紙口６３側の縁部と給紙口６３との間に異物避けカバー６５の揺動軸線６５ａに沿って溝状に設けられている。異物受け溝６６には鉛直上方に突出するＵ字状の凹みを有する軸受け部７５が２つ設けられており、軸部７３は軸受け部７５に係合され、図１では見難いが弾性変形可能なフックによって揺動軸線６５ａ方向から係止されている。
【００２５】
図７は、異物避けカバー６５と異物受け溝６６との位置関係を示す模式図である。異物避けカバー６５の揺動軸線６５ａ方向の幅は給紙口６３の横幅と同じか又はそれ以上の幅に形成される。本実施例の異物避けカバー６５の場合は給紙口６３の横幅より僅かに大きく形成されている。異物受け溝６６の揺動軸線６５ａ方向の幅は、異物避けカバー６５の軸部７３側の縁部における２つのリブ７１間の間隔より広くなるように形成されている。異物避けカバー６５の幅は給紙口６３の幅より広いため、原稿カバー６０から異物受けカバー６５に落ちた異物は異物受け溝６６に導かれる。
【００２６】
次に、リブ７１が異物を異物受け溝６６に案内する流れについて、図７に基づいて説明する。例えばユーザがスキャナ部２に原稿を読み取らせるとき、原稿台６１に原稿を載置した後で、原稿を挟んで止めていたクリップ７６を原稿カバー６０の上に置いたとする。原稿を読み取らせた後に原稿カバー６０上にクリップ７６を置いたままであるにもかかわらず不注意により原稿カバー６０をそのまま開けてしまったとすると、クリップ７６は原稿カバー６０から落下し、異物避けカバー６５の上面７２ａに落ちる。このときクリップ７６が図７に示すように斜め下に向かって落ちてきたとすると、異物避けカバー６５にはリブ７１が設けられているため、クリップ７６はリブ７１に当接してそれ以上の横方向の移動が規制され、リブ７１に案内されて異物受け溝６６に受けられる。
【００２７】
次に、異物避けカバー６５と原稿カバー６０との間に形成される空間について説明する。
図８は、異物避けカバー６５を原稿カバー６０に当接させる方向に揺動した様子を示す斜視図である。用紙台６４に印刷媒体をセットするときは異物避けカバー６５を原稿カバー６０に当接する方向、すなわち反Ｘ方向（図３参照）に揺動する。異物避けカバー６５を揺動可能に設けると、用紙台６４に印刷媒体をセットするときに反Ｘ方向に揺動することで用紙台６４の上方が異物避けカバー６５に覆われなくなり、印刷媒体のセットが容易になる。原稿カバー６０が原稿台６１を覆う姿勢のとき、異物避けカバー６５を反Ｘ方向に揺動するとリブ７１が原稿カバー６０に当接し、図示するように異物避けカバー６５と原稿カバー６０との間に空間９７が形成される。空間９７が形成されると、ユーザは空間９７を利用して異物避けカバー６５に指をかけることができるため、異物避けカバー６５をＸ方向に揺動して斜め上方に突出する姿勢に戻すことが容易になる。
【００２８】
以上説明した本発明の一実施例にかかる複合機１によると、異物避けカバー６５にリブ７１が設けられている。例えばリブ７１を設けなかった場合、図７に示すクリップ７６は異物避けカバー６５の左右いずれかの縁から落下してしまう。この場合、落下したクリップ７６が図２に示すプリンタユニット１２ｂの上壁面９８に落ち、その弾みで給紙口６３に入り込んでしまう可能性がある。リブ７１を設けると前述したように左右の縁から落下しなくなるため、異物避けカバー６５の上面７２ａに落ちた異物はリブ７１によって異物避けカバー６５の左右の縁から落ちることなく異物受け溝６６に案内される。よって複合機１によると、異物避けカバー６５の上面７２ａに落ちた異物が異物避けカバー６５の縁部７２ｂ又は７２ｃのいずれか一方から落ちてプリンタユニット１２ｂ内に入り込むことを防止できる。この結果、異物が入り込むことに起因して発生する故障を防止できる。
【００２９】
尚、本実施例では異物避けカバーの縁部にリブを設ける場合を例に説明したが、図９に示すようにリブを揺動軸線に対して傾けて設けてもよい。
図９は、揺動軸線に対して傾けて設けられたリブ７８を有する異物避けカバー７７を示す模式図である。図示するように揺動軸線７７ａに近づくほど二つのリブ７８の間隔が狭くなっている。このように傾けて設けると、凹部としての異物受け溝７９の間隔を短くできるので、異物受け溝７９を設けるための空間の確保が容易になる。
【図面の簡単な説明】
【００３０】
【図１】本発明の一実施例に係る異物避けカバーの斜視図。
【図２】本発明の一実施例に係る画像入出力装置の斜視図。
【図３】本発明の一実施例に係る画像入出力装置の模式図。
【図４】本発明の一実施例に係る画像入出力装置の模式図。
【図５】本発明の一実施例に係る画像入出力装置のブロック図。
【図６】本発明の一実施例に係る異物避けカバーの斜視図。
【図７】本発明の一実施例に係る異物避けカバーの模式図。
【図８】本発明の一実施例に係る画像入出力装置の斜視図。
【図９】本発明の一実施例に係る異物避けカバーの変形例の模式図。
【図１０】従来の画像入出力装置の模式図。
【符号の説明】
【００３１】
１  複合機（画像入出力装置）、２  スキャナ部（画像読み取り手段）、３  プリンタ部（印刷手段）、１２ａ  スキャナユニット（筐体）、１２ｂ  プリンタユニット（筐体）、５６  制御部（画像読み取り手段、印刷手段）、６０  原稿カバー、６１  原稿台、６３  給紙口、６４  用紙台、６５  異物避けカバー、６６  異物受け溝（凹部）、７１  リブ、７６  クリップ（異物）、７７  異物避けカバー、７８  リブ、７９  異物受け溝（凹部）、９７  空間
【図１】
2005086640.tif 000003
【図２】
2005086640.tif 000004
【図３】
2005086640.tif 000005
【図４】
2005086640.tif 000006
【図５】
2005086640.tif 000007
【図６】
2005086640.tif 000008
【図７】
2005086640.tif 000009
【図８】
2005086640.tif 000010
【図９】
2005086640.tif 000011
【図１０】
2005086640.tif 000012